(57)【要約】【課題】ハードウェア資源の有効活用をはかり、かつ、トラフィック負荷の変動を一定量に抑える。【解決手段】アナログ映像データをＪＰＥＧ圧縮することによって生成される画像データを取込む画像データ取込み装置１であって、生成される画像データのサイズに応じて画像データの取込みを制御する画像サイズ調整取込み部１５を備えたことを特徴とするもので、自動的に圧縮画像データのサイズ調整を行い、画像ファイルの生成を一定のファイルサイズ以下で連続して行うことができる。【選択図】図１
2007142646.tif 000002
【特許請求の範囲】
【請求項１】
アナログ映像データを指定された圧縮パラメータに従いＪＰＥＧ圧縮することによって生成される画像データを取込む画像データ取込み装置であって、
前記生成される画像データのサイズに応じて前記画像データの取込みを制御する画像サイズ調整取込み部、
を備えたことを特徴とする画像データ取込み装置。
【請求項２】
前記画像サイズ調整取込み部は、
装置の利用環境により決定され、前記画像データを取込む際の上限値となるデータサイズが設定される目標値設定部と、
前記生成されるＪＰＥＧ画像データのサイズと前記上限値とを比較し、その結果によってはキャプチャモード変更のための制御を行うキャプチャモード変更制御部と、
前記キャプチャモード変更制御部により設定されるキャプチャモードに従い生成され、取り込まれる画像データを保存する画像データ保存制御部と、
を備えることを特徴とする請求項１記載の画像データ取込み装置。
【請求項３】
前記変更後のキャプチャモードによって生成される画像データのサイズと、前記上限値と前記目標設定部を介して更に設定される任意の調整値とを演算することによって生成される復元値とを比較し、その結果によっては前記変更直前のキャプチャモードに復元させる制御を行うキャプチャモード復元制御部
を具備することを特徴とする請求項２記載の画像データ取込み装置。
【請求項４】
アナログ映像データを指定された圧縮パラメータに従いＪＰＥＧ圧縮することによって生成される画像データを取込む画像データ取込み装置に用いられるプログラムであって、
装置の利用環境により決定され、前記画像データを取込む際の上限値となるデータサイズを設定するステップと、
前記生成されるＪＰＥＧ画像データのサイズと前記上限値とを比較し、その結果によってはキャプチャモード変更のための制御を行うステップと、
前記変更されたキャプチャモードに従い生成され、取り込まれる画像データを保存するステップと、
前記変更後のキャプチャモードによって生成される画像データのサイズと、前記上限値と、更に設定される任意の調整値とを演算することによって生成される復元値とを比較し、その結果によって変更直前のキャプチャモードに復元させるための制御を行うステップと、
をコンピュータに実行させるプログラム。
【請求項５】
１以上の撮影装置が接続され、前記撮影装置によって撮影され生成されるアナログ映像データに関し、指定された圧縮パラメータに従いＪＰＥＧ圧縮して生成される画像データを、ネットワーク経由で端末装置に転送、配信する画像データ伝送装置であって、
前記生成されるアナログ映像信号の変化に伴い生成される前記画像データのサイズを所定の範囲に調整して取込む画像サイズ調整取込み部と
前記取り込まれた画像データを前記端末装置に前記ネットワークを介して伝送する画像データ伝送部、
を備えたことを特徴とする画像データ伝送装置。
【請求項６】
前記画像サイズ調整取込み部は、
前記撮影装置が持つ制御機能を実行することにより発生する映像の切り替え、複数の撮影装置から任意の一つを選択することにより発生する映像の切り替え、もしくは被写体の撮影環境の変化、の少なくとも一つを契機に、前記画像データのサイズを所定の範囲に調整して取込むことを特徴とする請求項５記載の画像データ伝送装置。
【発明の詳細な説明】
【技術分野】
【０００１】
本発明は、アナログ映像データをＪＰＥＧ圧縮することによって生成される画像データを取込む、画像データ取込み装置およびプログラムならびに画像データ伝送装置に関する。
【背景技術】
【０００２】
ＪＰＥＧ（Joint Photographic Experts Group：カラー静止画像符号化方式）規格に代表される静止画像の圧縮技術を用い、動画像の各フレームを圧縮すると、高い圧縮率は望めないが、回路規模が比較的少なく済む。しかしながら、圧縮率が指定された値で固定されるため、圧縮結果のデータ量は、圧縮の対象となる画像の内容（精細さや色）に依存する。
ところで、従来の画像データ取込み装置は、あらかじめ決められたＪＰＥＧの圧縮パラメータにより、アナログ映像信号をディジタル画像データに変換して取込み、ＪＰＥＧファイルの生成を行っている。このため、映像によっては、画像サイズが大きくなり、割り当てるべきメモリ等ハードウェア資源を有効に活用することができず、画像取込み装置の取込み性能に悪影響を及ぼす。また、データ転送、配信時にトラフィック負荷が大きくなるといった諸々の不都合を有していた。
【０００３】
上記した不都合を解決するために、従来、あるフレームの圧縮結果のデータ量に基づき、次のフレームの圧縮率を変更してデータ量の変動を少なくする技術が提案されている（例えば、特許文献１〜特許文献３参照）。
【０００４】
【特許文献１】特開２００１−２３８１７９号公報（段落「０００２」、「０００３」、「０００８」、「００１５」〜「００１７」、「００２５」、図１）
【特許文献２】特開平９−１８８６７号公報（段落「０００４」〜「００１１」、図１）
【特許文献３】特開２００３−１４３４１１号公報（段落「００１３」、「００２０」、図１）
【発明の開示】
【発明が解決しようとする課題】
【０００５】
上記した特許文献１〜３のそれぞれには、ＪＰＥＧ圧縮技術を用い、ファイルサイズが大きいときは圧縮率を高く、小さいときは圧縮率を低く設定し、その圧縮率に従い圧縮してＪＰＥＧ画像ファイルを生成するための技術が開示されている。
このため、圧縮率が設定されるパラメータ（量子化テーブル）を複数持ち、都度、演算により最適な圧縮パラメータを選択して画像圧縮装置に設定するための制御が必要になる。特に、特許文献２に開示された技術によれば、目的ファイルサイズ毎に圧縮パラメータの適用範囲を定める必要があるため、全ての目標ファイルサイズを実現するための量子化テーブルを持つ必要がある。
【０００６】
また、上記した圧縮パラメータの変更により画像サイズが調整できたてしとも、目的とする調整量の確保が困難であり、現実的にはキャプチャモードを変更することで対応するケースが多々あった。但し、この場合も、環境が改善されるとフレームモードで鮮明な画像に戻すことが要求され、従って、一連の調整のための作業にかける負担が大きかった。
【０００７】
本発明は上記事情に基づいてなされたものであり、ＪＰＥＧ画像圧縮技術を用いて画像データの取込みを行う際に、圧縮パラメータを変更することなく、指定された圧縮パラメータを用いながら圧縮した画像データのサイズ調整を自動的に行うことにより作業者の負担を軽減し、かつ、ハードウェア資源の有効活用をはかるとともにトラフィック負荷の変動を一定量に抑えることのできる、画像データ取込み装置およびプログラムならびに画像データ伝送装置を提供することを課題とする。
【課題を解決するための手段】
【０００８】
この発明に係る画像データ取込み装置は、アナログ映像データを指定された圧縮パラメータに従いＪＰＥＧ圧縮することによって生成される画像データを取込む画像データ取込み装置であって、前記生成される画像データのサイズに応じて前記画像データの取込みを制御するサイズ調整取込み部、を備えたことを特徴とする。
【０００９】
この発明に係る画像データ伝送装置は、１以上の撮影装置が接続され、前記撮影装置によって撮影され生成されるアナログ映像データに関して指定された圧縮パラメータに従いＪＰＥＧ圧縮して生成される画像データを、ネットワーク経由で端末装置に伝送する画像データ伝送装置であって、前記生成されるアナログ映像信号の変化に伴い生成される前記画像データのサイズを所定の範囲に調整して取込む画像サイズ調整取込み部と、前記取り込まれた画像データを前記端末装置に前記ネットワークを介して伝送する画像データ伝送部と、を備えたことを特徴とする。
【発明の効果】
【００１０】
本発明によれば、ＪＰＥＧ画像圧縮技術を用いて画像ファイルの取込みを行う際に、指定された圧縮パラメータを用いながら圧縮したＪＰＥＧ画像ファイルのデータ量の調整を自動的に行うことにより作業者の負担を軽減し、かつ、メモリ等ハードウェア資源の有効活用をはかるとともにトラフィック負荷を一定量に抑えることができる。
【発明を実施するための最良の形態】
【００１１】
実施の形態１．
図１は、本発明の実施の形態１に係る画像データ取込み装置の内部構成を示すブロック図である。
ここに示される画像データ取込み装置１は、ＣＰＵ１１と、プログラムメモリ１２と、映像信号取込み部１３と、画像圧縮部１４と、画像サイズ調整取込み部１５と、画像データ記憶部１６とで構成され、映像信号取込み部１３を除く、ＣＰＵ１１、プログラムメモリ１２、画像圧縮部１４、画像サイズ調整取込み部１５、画像データ記憶部１６のそれぞれは、アドレス、データ、コントロールのためのラインが複数本で構成されるシステムバス１７を介して共通に接続されている。
【００１２】
図１において、ＣＰＵ１１は、画像データ取込み装置１の制御中枢となり、プログラムメモリ１２に記録されたプログラムを逐次読み出し実行することにより、システムバス１７に接続される各ブロック１４〜１６を制御する。また、画像圧縮部１４、画像サイズ調整取込み部１５のそれぞれに対し、圧縮パラメータや、後述する上限値、調整値等の初期設定等も行う。
また、映像信号取込み部１３は、入力される動画、例えば、ＮＴＳＣ（National Television System Committee）のアナログ映像信号を取込み、ディジタル画像データに変換して画像圧縮部１４に供給する。画像圧縮部１４は、ＪＰＥＧ規格の圧縮アルゴリズムを使用してディジタル画像データを圧縮して画像サイズ調整取込み部１５へ供給する。
【００１３】
画像サイズ調整取込み部１５は、画像圧縮部１４において生成される画像データのサイズに応じて画像データの取込みを制御するもので、図２にその内部構成が示されるように、目標値設定部１５１と、復元値算出部１５２と、サイズ判定部１５３と、キャプチャモード変更制御部１５４と、画像データ保存制御部１５５と、キャプチャモード復元制御部１５６とで構成される。
【００１４】
目標値設定部１５１は、画像データを取込む際の目標値、ここでは上限値となるデータ量（サイズ）が設定され、設定された上限値をキャプチャモード変更制御部１５４へ供給する。なお、上限値は、装置で使用可能なメモリサイズ以下で、かつ、転送（配信）する際に使用する伝送路の性能を考慮し、装置環境毎にユーザが設定するものとする。目標設定部１５１には、ユーザによって他に調整値も設定される。ここで、調整値とは、キャプチャモードを変更直前のモードに復元させるときの指標となる上限値を調整するための値であり、ここでは５０％〜１００％の比率で指定されるものとする。調整値の詳細については後述する。
キャプチャモード変更制御部１５４には、他に、サイズ判定部１５３により判定される、画像圧縮部１４から供給される画像データのデータ量（サイズ）に関するデータも供給されている。キャプチャモード変更制御部１５４は、生成される画像データのサイズと目標値とを比較演算し、ここで比較演算された結果によってはキャプチャモードの変更を行う制御を実行する。
【００１５】
一方、復元値算出部１５２は、上記した上限値と調整値とに基づき、画像データを復元したときのデータ量である復元値を算出してキャプチャモード復元制御部１５６へ供給する。キャプチャモード復元制御部１５６には、他に、キャプチャモード変更制御部１５４により出力される、変更後のキャプチャモードにより生成される画像データのサイズに関するデータも供給されている。
キャプチャモード復元制御部１５６は、キャプチャモード変更制御部１５４によるキャプチャモードの変更後、復元用のデータサイズと画像データのサイズとを比較し、その結果によっては変更直前のキャプチャモードに復元させる制御を実行する。
【００１６】
ところで、キャプチャモードには、「フレームキャプチャ」と「フィールドキャプチャ」が存在することは周知の通りである。データ量の観点から見た場合、前者は時間的に蜜にキャプチャするためキャプチャデータ量が多く、処理のためにメモリ等のハードウェア資源を多く必要とする反面、鮮明な画像データが生成できる利点を持つ。
また、後者は、時間的に疎にキャプチャするため、キャプチャデータ量が比較的少なく、比較的粗い画像データが生成される反面、少ないハードウェア資源で済むといった利点を持つ。なお、「フィールドキャプチャ」によって取り込まれる画像データのサイズは、「フレームキャプチャ」によって取り込まれる画像データのサイズの略半分である。
【００１７】
なお、画像データ保存制御部１５５は、キャプチャモード変更制御部１５４、あるいはキャプチャモード復元設定部１５６によりそれぞれ設定されるキャプチャモードに従い生成され、取り込まれる画像データを、画像データ記憶部１６に保存する。
【００１８】
図３は、本発明の実施の形態１の動作を説明するために引用したフローチャートである。図３はまた、本発明のプログラムの処理手順も合わせて示している。
以下、図３に示すフローチャートを参照しながら図１、図２に示す本発明の実施形態１の動作について詳細に説明する。
【００１９】
まず、外部から指定されるパラメータとして、圧縮率の他に、ユーザにより上限値および調整値の設定が行なわれる（ステップＳＴ３１）。ここで、上記したパラメータの設定は、あらかじめ定義され、メモリに記録されたものの中から選択することによって行われる。ここでは、ＣＰＵ１１により、圧縮パラメータは画像圧縮部１４に、上限値と調整値は、画像サイズ調整取込み部１５にそれぞれ設定されることとするが、外部からの手入力による設定により代替してもよい。
なお、上限値と調整値は、画像サイズ調整取込み部１５を構成する目標値設定部１５１に設定され、復元値算出部１５２は、上限値に調整値（５０％〜１００％）を乗算することにより、キャプチャモード復元時の指標となる復元値を算出することとする。
【００２０】
続いて、映像信号取込み部１３による映像信号の取込みが行われ、画像圧縮部１４による、指定された圧縮パラメータに従うＪＰＥＧ圧縮データの生成が行われる（ステップＳＴ３２）。
ＪＰＥＧ圧縮技術を用いた映像データの保存を行う際、あらかじめ指定された圧縮パラメータ、およびデフォルトでモード設定されている「フレームキャプチャ」に従いＪＰＥＧ画像データの圧縮、取込みを行うが、ここでは、キャプチャモード変更制御部１５４において、生成されるＪＰＥＧ画像データのサイズが上限値を超えるか否かが判定される（ステップＳＴ３３）。すなわち、キャプチャモード変更制御部１５４は、目標値設定部１５１に設定されたデータ量の上限値と、サイズ判定部１５３により判定されたＪＰＥＧ画像データのデータ量とのサイズ比較演算を行う。
【００２１】
上記した比較演算の結果、生成データ量が上限値を超えていれば、画像データ保存制御部１５５は、取り込んだ画像データを画像データ記憶部１６に保存しない。また、キャプチャモード変更制御部１５４は、キャプチャモードを、デフォルトで設定されてある「フレームキャプチャ」から「フィールドキャプチャ」に設定変更（ステップＳＴ３４）し、ステップＳＴ３２以降の処理を繰り返すことを指示する。
すなわち、映像信号取込み部１３は、再度映像信号を取込み、画像圧縮部１４でＪＰＥＧ圧縮データの生成処理を行い（ステップＳＴ３２）、画像サイズ調整取込み部１５では、キャプチャモード変更制御部１５４が、再度、サイズ判定部１５３により判定される画像データの生成データ量と、先に目標値設定部１５１に設定された上限値との再比較演算を行う（ステップＳＴ３３）。ここでは、キャプチャモードが「フレームキャプチャ」から「フィールドキャプチャ」に設定変更されているため、サイズ判定部１５３により判定されるデータサイズは、変更直前の略半分になっているはずである。
【００２２】
キャプチャモード変更制御部１５４で比較演算した結果、上限値を超えていないと判定されたとき、画像圧縮部１４で圧縮したデータをＪＰＥＧ画像ファイルとしてはじめて画像データ記憶部１６に保存する（ステップＳＴ３５）。
続いて、キャプチャモードを変更した状態で画像データ記憶部１６にＪＰＥＧ圧縮データの保存を行っているとき（ステップＳＴ３６、ＹＥＳ）、キャプチャモード復元制御部１５６は、キャプチャモードを「フィールドキャプチャ」から「フレームキャプチャ」に復元させてキャプチャデータ量を多くした場合にハードウェア資源の管理上問題があるか否かの判定を行う。
【００２３】
すなわち、キャプチャモード復元制御部１５６は、キャプチャモードを「フィールドキャプチャ」から「フレームキャプチャ」に復元させた場合に、その画像サイズが上限値以下であると予測されるサイズであるか否かを確認するために、例えば、フィールドモードによりキャプチャしたデータ量を２倍したサイズと、復元値算出部１５２により算出される復元値（上限値×調整値［１００％〜５０％］）との比較演算を行う（ステップＳＴ３７）。
ここでの比較演算の結果、復元値の範囲内に収まると判定された場合（ステップＳＴ３７、ＹＥＳ）、キャプチャモード復元制御部１５６は、キャプチャモード復元のための制御を行い、次に取込む映像データのキャプチャモードを「フィールドキャプチャ」から「フレームキャプチャ」に変更し、キャプチャデータ量を多くして画質の向上をはかる（ステップＳＴ３８）。
【００２４】
なお、復元値の範囲を超えると判定された場合（ステップＳＴ３７、ＮＯ）は、ステップＳＴ３２の処理に戻り、以降の処理を繰り返す。ここで、キャプチャモードの復元は、「フィールドキャプチャ」で取り込んだ画像データが、「フレームキャプチャ」で取り込んだ画像データの略半分」であることに基づいて判定される。
【００２５】
上記した本発明の実施形態１によれば、画像取込み装置１が、映像データの取込みおよびＪＰＥＧ圧縮データの生成処理（ステップＳＴ３２）、画像データサイズの判定処理（ステップＳＴ３３およびステップＳＴ３７）、およびキャプチャモードの設定変更処理（ステップＳＴ３４、ＳＴ３８）を、適宜繰り返し実行することにより、自動的に圧縮画像データのサイズ調整を行い、画像ファイルの生成を一定のファイルサイズ以下で自動的に連続して行うことができる。このため、画像データのサイズ調整にかかる作業者の一連の負担が軽減され、また、あらかじめ上限値を定めることからメモリデバイス等のハードウェア資源を有効に活用することができる。
【００２６】
実施の形態２．
図４は、本発明の実施の形態２に係る画像データ転送（配信）装置のネットワーク接続形態を示す図である。
図４に示される画像データ転送（配信）システム４０は、各所に複数分散配置された撮影装置としてのＣＣＤ（Charge Coupled Device）カメラ４１（４１ａ〜４１ｎ）のそれぞれに、画像転送装置としてのサーバ４２（ＰＣあるいは専用コンピュータ）（４２ａ〜４２ｎ）が接続され、各サーバ４２ａ〜４２ｎには、更に、ＩＰ（Internet Protocol）網等のネットワーク４３を介し、端末装置としてのクライアントＰＣ４４が接続されている。
【００２７】
クライアントＰＣ４４は、各サーバ４２ａ〜４２ｎに対して画像伝送要求を発行し、ＣＣＤカメラ４１ａ〜４１ｎにより撮影され、サーバ４２ａ〜４２ｎによりＪＰＥＧ圧縮され、取り込まれた画像データの配信を受け、監視するシステム構成になっている。
このため、各サーバ４２ａ〜４２ｎは、実施の形態１に示した画像取込み装置１としての機能を実現するために画像サイズ調整取込み部４２１を備え、更に、取り込まれた画像を要求のあったクライアントＰＣ４４に転送するための画像データ伝送部４２２を備えている。
【００２８】
すなわち、サーバ４２ａ〜４２ｎにおいて、画像サイズ調整取込み部４２１は、ＣＣＤカメラ４１ａ〜４１ｎによって撮影され生成されるアナログ映像データを、指定された圧縮パラメータに従いＪＰＥＧ圧縮して生成される画像データのサイズを所定の範囲に調整して取込む。そして、取り込まれた画像データを、画像データ伝送部４２２により、画像転送要求を発行したクライアントＰＣ４４にネットワーク４３を介して配信する。
【００２９】
一般に、画像データ転送（配信）システムでは、クライアントＰＣ４４で撮影された映像を確認する場合に、パン、チルト、ズーム等のカメラ制御機能を使って映像を切り替える場合、あるいは複数のＣＣＤカメラ４１ａ〜４１ｎから任意の１台を選択して映像切り替え操作を行う場合、同じ圧縮パラメータを使って圧縮した結果のデータ量に変動が発生することで、画像転送時間、あるいは画像更新時間に影響を与える。
このことに対し、実施の形態２で示したデータ転送（配信）システムでは、画像ファイルを自動的に一定量以下に収めることができるため、ネットワーク負荷を一定量以下に抑えることができ、画像データ量の変化に伴い発生する画像転送時間の著しい変化を抑えることができる。なお、無人監視システム等、昼夜、人、物の移動等、被写体の撮影環境が頻繁に変わる状況においても同様、自動的に画像サイズの調整が可能であるため、遠隔地での画像確認、リモート環境への画像伝送が一定のデータ量以下で行え、このことにより、ネットワーク負荷の平滑化がはかれる。
【００３０】
以上説明のように本発明は、例えば、図１に示されるように、アナログ映像データを指定された圧縮パラメータに従いＪＰＥＧ圧縮することによって生成される画像データを取込む画像取込み装置１であって、生成される画像データのサイズに応じて画像データの取込みを制御する画像サイズ調整取込み部１５を備える。
このため、画像サイズ調整取込み部１５には、外部から画像データを取込む際の上限値となるデータサイズが設定され、当該上限値とＪＰＥＧ画像圧縮により生成される画像データのサイズとの比較を実行し、その結果によってキャプチャモードの変更設定（「フレームキャプチャ」から「フィールドキャプチャ」へ）を行う。そして、設定されるキャプチャモードに従い取り込まれる画像データを保存する。また、画像サイズ調整取込み部１５は、キャプチャモードの変更後、上限値と別途指定される調整値とから算出される復元用のデータサイズと、変更後のキャプチャデータ量（画像データのサイズ）とを比較し、その結果によって変更直前のキャプチャモード（フレームキャプチャ）に復元させる制御を実行する。
【００３１】
このことにより、ＪＰＥＧ画像圧縮技術を用いて画像ファイルの取込みを行う際に、指定された圧縮パラメータを用いながら簡単な制御により圧縮したＪＰＥＧ画像ファイルのデータ量の自動調整を行うことができ、あらかじめ上限値を定めることからメモリ等のハードウェア資源の有効活用をはかる。
【００３２】
また、本発明は、例えば、図４に示されるように、１以上の撮影装置４１ａ〜４１ｎが接続され、当該撮影装置４１ａ〜４１ｎによって撮影され生成されるアナログ映像データに関してＪＰＥＧ圧縮して生成される画像データを、ネットワーク４３経由で端末装置４４に転送するサーバＰＣ４２ａ〜４２ｎであって、生成されるアナログ映像信号の変化（例えば、撮影装置４１ａ〜４１ｎが持つ制御機能を実行することにより発生する映像の切り替え、複数の撮影装置４１ａ〜４１ｎから任意の一つを選択することにより発生する映像の切り替え、もしくは被写体の撮影環境の変化）に伴い生成される画像データのサイズを所定の範囲に調整して取込み、当該取り込まれた画像データを端末装置４４に対してネットワーク４３経由で転送する。
【００３３】
このことにより、撮影装置４１ａ〜４１ｎからＪＰＥＧ画像圧縮技術を用いて画像ファイルの取込みを行う際に、指定された圧縮パラメータを用いながら簡単な制御により圧縮したＪＰＥＧ画像ファイルのデータ量の調整を行うことができ、トラフィック負荷を一定量に抑え、画像データ量の影響によるデータ伝送時間が著しく大きくなることの防止がはかれる。
【００３４】
なお、上記した実施の形態１において、ＪＰＥＧ画像ファイルのデータ量を所定の範囲に収めるために、画像データを取込む際の画像データサイズと比較する目標値として上限値のみ用いたが、上限値の他に下限値を設定してそれぞれでキャプチャモードの変更制御を実施することも可能であり、このことによりサイズ調整のための精度が向上する。
また、図２に示す、目標値設定部１５１、復元値算出部１５２、サイズ判定部１５３、キャプチャモード変更制御部１５４、画像データ保存制御部１５５、キャプチャモード復元制御部１５６のそれぞれで実行される手順をコンピュータ読み取り可能な記録媒体に記録し、この記録媒体に記録されたプログラムをコンピュータシステム（ＣＰＵ）に読み込ませて実行することによっても本発明の画像データ取込み装置を実現することが可能である。
【００３５】
また、実施の形態２では、ＣＣＤカメラ４１ａ〜４１ｎのそれぞれにサーバＰＣ４２ａ〜４２ｎを接続し、それぞれのサーバＰＣ４２ａ〜４２ｎにおいてＪＰＥＧ画像ファイルのデータ量を所定の範囲に収めてクライアントＰＣ４４に転送する形態を示したが、サーバＰＣ４２ａ〜４２ｎを１個のサーバで代替し、統括管理しても同様の効果が得られる。
【図面の簡単な説明】
【００３６】
【図１】本発明の実施の形態１に係る画像データ取込み装置の内部構成を示すブロック図である。
【図２】図１に示す画像サイズ調整部の内部構成を示すブロック図である。
【図３】本発明の実施の形態１に係る画像データ取込み装置の動作を説明するために引用したフローチャートである。
【図４】本発明の実施の形態２に係る画像データ転送装置のシステム構成の一例を示す図である。
【符号の説明】
【００３７】
１  画像データ取込み装置、１１  ＣＰＵ、１２  プログラムメモリ、１３  映像信号取込み部、１４  画像圧縮部、１５  画像サイズ調整取込み部、１６  画像データ記憶部、１７  システムバス、４０  画像データ転送（配信）システム、１５１  目標値設定部、１５２  復元値算出部、１５３  サイズ判定部、１５４  キャプチャモード変更制御部、１５５  画像データ保存制御部、１５６  キャプチャモード復元制御部、４２１  画像サイズ調整取込み部、４２２  画像データ転送部。
【図１】
2007142646.tif 000003
【図２】
2007142646.tif 000004
【図３】
2007142646.tif 000005
【図４】
2007142646.tif 000006